【手続補正書】
【提出日】平成25年7月31日(2013.7.31)
【手続補正１】
【補正対象書類名】明細書
【補正対象項目名】０００１
【補正方法】変更
【補正の内容】
【０００１】
本発明は、駆動源からの駆動力に応じて揺動する揺動部材と、前記駆動源と前記揺動部材との間に設けられ、前記駆動源からの駆動力を前記揺動部材に伝達する駆動力伝達機構と、を備えた揺動役物装置と、前記揺動役物装置を振動させる制御を行う演出制御手段と、を備える遊技機に関する。
【手続補正２】
【補正対象書類名】明細書
【補正対象項目名】０００２
【補正方法】変更
【補正の内容】
【０００２】
従来の遊技機、例えばパチンコ遊技機においては、前面に遊技領域が形成された遊技盤と、前記遊技領域の略中央部に設けられ、前面側が開口したセンターケースを備えるとともに、当該センターケースに形成された表示用窓部の後方に識別情報を可変表示可能な表示装置を設け、遊技盤に設けられた始動入賞領域への遊技球の入賞に基づき乱数を抽出して所定の上限数の範囲内で始動記憶として記憶し、該始動記憶に基づき表示装置で複数の識別図柄を変動表示させる変動表示ゲームを実行し、該変動表示ゲームの結果が予め定められた特別結果態様となった場合に、遊技者に所定の遊技価値を付与する特別遊技状態を発生するものが知られている。
【手続補正３】
【補正対象書類名】明細書
【補正対象項目名】０００５
【補正方法】変更
【補正の内容】
【０００５】
しかしながら、上記特許文献１に開示されている遊技機の場合、演出表示を遊技者に飽きられてしまう虞があった。
【手続補正４】
【補正対象書類名】明細書
【補正対象項目名】０００６
【補正方法】変更
【補正の内容】
【０００６】
本発明は上記の課題に鑑みてなされたもので、遊技に関する演出を楽しむことができる遊技機を提供することを目的とする。
【手続補正５】
【補正対象書類名】明細書
【補正対象項目名】０００７
【補正方法】変更
【補正の内容】
【０００７】
以上の課題を解決するため、請求項１に記載の発明は、
駆動源からの駆動力に応じて揺動可能に設けられた揺動部材と、前記駆動源と前記揺動部材との間に設けられ、前記駆動源からの駆動力を前記揺動部材に伝達する駆動力伝達機構と、を備えた揺動役物装置と、前記揺動役物装置を揺動させる制御を行う演出制御手段と、を備える遊技機において、
前記駆動力伝達機構は、
前記揺動部材を往復移動させるクランク機構部を備え、
前記クランク機構部は、クランク軸を回転軸の中心から外れた外周部に突設したクランク板と、前記クランク軸が挿入される案内溝部を有し、前記揺動部材が設けられる移動板と、前記移動板が初期状態にあることを検出する初期状態検出手段と、を備え、
前記演出制御手段は、
前記初期状態検出手段により前記移動板が初期状態にあることを検出した状態から前記駆動源からの駆動力に応じて前記クランク板を、初期状態から第１角度まで回転する第１状態と、前記第１角度よりも大きい第２角度まで当該第１状態から回転する第２状態と、に変換させ、
前記クランク板が初期状態から前記第１状態へ変換する場合には、前記クランク軸を前記案内溝部に沿って摺動させるとともに、前記移動板を移動させて前記揺動部材を第１速度で動作させ、
前記クランク板が前記第１状態から前記第２状態へ変換する場合には、前記クランク軸を前記案内溝部の端部に当接させた状態で、前記移動板を移動させて前記揺動部材を前記第１速度よりも早い第２速度で動作させ、
少なくとも前記クランク板を、初期状態と、前記第１状態よりも当該クランク板の回転角度が少ない所定状態と、に変換させる動作を繰り返す揺れ動作演出を実行可能としたことを特徴とする。
【手続補正６】
【補正対象書類名】明細書
【補正対象項目名】０００８
【補正方法】変更
【補正の内容】
【０００８】
請求項２に記載の発明は、請求項１に記載の遊技機において、
前記演出制御手段は、
少なくとも前記クランク板を、前記第１状態と、前記第２状態と、に変換させる動作を繰り返す揺れ動作演出を実行可能としたことを特徴とする。
請求項３に記載の発明は、請求項２に記載の遊技機において、
複数の識別情報を変動表示させる変動表示ゲームを実行可能な表示装置を備え、
前記変動表示ゲームの結果に応じて、前記揺れ動作演出として、初期状態と前記所定状態とに変換させる動作を繰り返す揺れ動作演出、又は前記第１状態と前記第２状態とに変換させる動作を繰り返す揺れ動作演出を実行可能としたことを特徴とする。
【手続補正７】
【補正対象書類名】明細書
【補正対象項目名】０００９
【補正方法】変更
【補正の内容】
【０００９】
本出願に係る他の発明は、
遊技盤に取り付けられるセンターケースを備えるとともに、当該センターケースに形成された表示用窓部の後方側に表示装置を設け、当該表示用窓部から表示ゲームを表示するようにした遊技機において、
前記表示装置の前面下方に、下可動役物を動作可能な下可動役物ユニットを設け、
前記センターケースの内側下部には、遊技球が転動可能であるとともに転動した遊技球を当該センターケースの下方の遊技領域に流下させるステージ部が形成され、
前記ステージ部をクリア部材で形成するとともに当該ステージ部を前記下可動役物の前面側に配設して、前記ステージ部を介して当該下可動役物を視認可能としたことを特徴とする。
ここで、「表示用窓部」は、遊技盤の前方からその後方側を視認できるものであれば良く、遊技盤に形成された開口部でも良いし、センターケースに形成された開口部でも良い。なお、開口部はクリア部材で塞がれた（即ち開口していない）ものでも良い。「表示装置」とは、遊技領域に設けられている特図変動表示ゲーム用の表示装置（例えば液晶表示装置）を意味する。また、「センターケース」は、少なくともステージ部がクリア部材で形成されていれば良く、センターケース全体がクリア部材で形成されていても良い。
この発明によれば、センターケースの内側下部のステージ部をクリア部材で形成するとともに当該ステージ部を下可動役物の前面側に配設して、ステージ部を介して当該下可動役物を視認可能としているので、遊技者は視点を移動させることなく、ステージ部上を転動する遊技球を目で追いながら下可動役物による演出を楽しむことができる。また、下可動役物は、表示装置の前面下方に配設されているので、当該表示装置による演出表示を更に加えることで遊技の興趣を高めることができる。
【手続補正８】
【補正対象書類名】明細書
【補正対象項目名】００１０
【補正方法】変更
【補正の内容】
【００１０】
本出願に係る他の発明は、上記遊技機において、
前記下可動役物ユニットは、
前記下可動役物と、
前記下可動役物を取り付けるための下可動役物ベース部材と、
前記下可動役物を動作させるための電気的駆動源と、
前記下可動役物に光を照射するための発光部材と、
を備えることを特徴とする。
【手続補正９】
【補正対象書類名】明細書
【補正対象項目名】００１１
【補正方法】変更
【補正の内容】
【００１１】
この発明によれば、下可動役物をユニット化したことにより、当該下可動役物の組み付けを容易に行うことができるようになる。
【手続補正１０】
【補正対象書類名】明細書
【補正対象項目名】００１２
【補正方法】変更
【補正の内容】
【００１２】
本出願に係る他の発明は、上記遊技機において、
前記ステージ部は、当該ステージ部の遊技球が転動する転動面の高さが前記下可動役物の垂直方向中央部の高さと一致するように水平方向に延出して設けられることを特徴とする。
【手続補正１１】
【補正対象書類名】明細書
【補正対象項目名】００１３
【補正方法】変更
【補正の内容】
【００１３】
この発明によれば、遊技球が転動する転動面の高さが下可動役物の垂直方向中央部の高さと一致するようにステージ部が水平方向に延出して設けられているので、遊技者は視点を移動させることなく、ステージ部上を転動する遊技球と下可動役物による演出とを同時に容易に視認することができるようになる。
【手続補正１２】
【補正対象書類名】明細書
【補正対象項目名】００１４
【補正方法】変更
【補正の内容】
【００１４】
本出願に係る他の発明は、上記遊技機において、
導光板の平面部に表示情報を表す異方性反射パターンを形成し、該導光板の側面より光源から発光される出射光を入光させて当該表示情報を表示する側方入光表示装置を前記下可動役物ユニットの後方、且つ、前記表示装置の前方に備えることを特徴とする。
【手続補正１３】
【補正対象書類名】明細書
【補正対象項目名】００１５
【補正方法】変更
【補正の内容】
【００１５】
この発明によれば、下可動役物ユニットの後方に側方入光表示装置が配設されているので、下可動役物ユニットの後方において側方入光表示装置による発光表示を行うことで、当該可動役物ユニットによる演出と当該側方入光表示装置による発光表示とを連動させて従来にない斬新な演出表示を行い遊技の興趣を高めることができる。
【手続補正１４】
【補正対象書類名】明細書
【補正対象項目名】００１６
【補正方法】変更
【補正の内容】
【００１６】
本発明によれば、遊技の興趣を高めることができる。
【手続補正１５】
【補正対象書類名】特許請求の範囲
【補正対象項目名】全文
【補正方法】変更
【補正の内容】
【特許請求の範囲】
【請求項１】
駆動源からの駆動力に応じて揺動可能に設けられた揺動部材と、前記駆動源と前記揺動部材との間に設けられ、前記駆動源からの駆動力を前記揺動部材に伝達する駆動力伝達機構と、を備えた揺動役物装置と、前記揺動役物装置を揺動させる制御を行う演出制御手段と、を備える遊技機において、
前記駆動力伝達機構は、
前記揺動部材を往復移動させるクランク機構部を備え、
前記クランク機構部は、クランク軸を回転軸の中心から外れた外周部に突設したクランク板と、前記クランク軸が挿入される案内溝部を有し、前記揺動部材が設けられる移動板と、前記移動板が初期状態にあることを検出する初期状態検出手段と、を備え、
前記演出制御手段は、
前記初期状態検出手段により前記移動板が初期状態にあることを検出した状態から前記駆動源からの駆動力に応じて前記クランク板を、初期状態から第１角度まで回転する第１状態と、前記第１角度よりも大きい第２角度まで当該第１状態から回転する第２状態と、に変換させ、
前記クランク板が初期状態から前記第１状態へ変換する場合には、前記クランク軸を前記案内溝部に沿って摺動させるとともに、前記移動板を移動させて前記揺動部材を第１速度で動作させ、
前記クランク板が前記第１状態から前記第２状態へ変換する場合には、前記クランク軸を前記案内溝部の端部に当接させた状態で、前記移動板を移動させて前記揺動部材を前記第１速度よりも早い第２速度で動作させ、
少なくとも前記クランク板を、初期状態と、前記第１状態よりも当該クランク板の回転角度が少ない所定状態と、に変換させる動作を繰り返す揺れ動作演出を実行可能としたことを特徴とする遊技機。
【請求項２】
前記演出制御手段は、
少なくとも前記クランク板を、前記第１状態と、前記第２状態と、に変換させる動作を繰り返す揺れ動作演出を実行可能としたことを特徴とする請求項１に記載の遊技機。
【請求項３】
複数の識別情報を変動表示させる変動表示ゲームを実行可能な表示装置を備え、
前記変動表示ゲームの結果に応じて、前記揺れ動作演出として、初期状態と前記所定状態とに変換させる動作を繰り返す揺れ動作演出、又は前記第１状態と前記第２状態とに変換させる動作を繰り返す揺れ動作演出を実行可能としたことを特徴とする請求項２に記載の遊技機。